(57)【要約】【課題】給湯蛇口が筐体の外側に突き出ることによる弊害を抑えつつ、利便性を確保可能な貯湯ユニットを提供する【解決手段】貯湯ユニット２０は、湯水を貯える貯湯タンク２２と、貯湯タンク２２を収容する筐体２４と、筐体２４の内部に配設されると共に一端側が貯湯タンク２２に接続された湯水配管１２０と、を備える。加えて、貯湯ユニット２０は、湯水配管１２０の他端側に接続されると共に貯湯タンク２２に蓄えられえた湯水を取り出す湯水取出部３０を備える。筐体２４のうち外側に露出する外側壁部２４０ａには、内側に窪んだ凹部２４２が形成されている。そして、湯水取出部３０は、全体の半分以上が凹部２４２に収容されると共に、凹部２４２から外側に向かって斜め下方に突き出た給湯蛇口３２を含んで構成されている。【選択図】図３
2019011942.tif 000002
【特許請求の範囲】
【請求項１】
湯水を貯える貯湯タンク（２２）と、
前記貯湯タンクを収容する筐体（２４）と、
前記筐体の内部に配設されると共に一端側が前記貯湯タンクに接続された湯水配管（１２０）と、
前記湯水配管の他端側に接続されると共に前記貯湯タンクに蓄えられえた湯水を取り出す湯水取出部（３０）と、を備え、
前記筐体のうち外側に露出する外側壁部（２４０ａ）には、内側に窪んだ凹部（２４２）が形成されており、
前記湯水取出部は、全体の半分以上が前記凹部に収容されると共に、前記凹部から外側に向かって斜め下方に突き出た給湯蛇口（３２）を含んで構成されている貯湯ユニット。
【請求項２】
前記給湯蛇口は、前記給湯蛇口から取り出す湯水の吐出方向に沿って延長させた仮想線（ＶＬ）と前記凹部の下方側の周縁部（２４２ｄ）とが重なり合わないように配設されている請求項１に記載の貯湯ユニット。
【請求項３】
前記湯水配管には、前記給湯蛇口からの湯水の取り出しを停止する止水栓（４０）が設けられており、
前記外側壁部には、前記止水栓の全体を収容可能なように内側に窪んだ止水栓収容部（２８）が設けられており、
前記止水栓収容部は、前記外側壁部のうち前記凹部よりも上方側の部位に設けられている請求項１または２に記載の貯湯ユニット。
【請求項４】
前記凹部における前記給湯蛇口の下方側に収容され、前記給湯蛇口からの水を受けるための水受部（２７３）を備え、
前記水受部は、その底面部（２７３ａ）が前記凹部から外側に向かって斜め下方に傾斜している請求項１ないし３のいずれか１つに記載の貯湯ユニット。
【請求項５】
前記凹部を開閉するためのドア本体（２７１）と、
前記ドア本体を開閉自在に支持するドア枠体（２７２）と、を備え、
前記水受部は、前記ドア枠体と一体に形成されており、
前記ドア枠体には、前記水受部と前記凹部の下方側の周縁部（２４２ｄ）との間に隙間を形成するための切欠部（２７２ｃ）が設けられている請求項４に記載の貯湯ユニット。
【請求項６】
前記水受部は、前記凹部を形成する材料よりも腐食し難い材料で構成されている請求項４または５に記載の貯湯ユニット。
【発明の詳細な説明】
【技術分野】
【０００１】
本発明は、貯湯タンクに貯湯された湯水を供給する貯湯ユニットに関する。
【背景技術】
【０００２】
従来、筐体の外壁部に対して貯湯タンク内の湯水を取り出すための給湯蛇口を設けた貯湯式給湯装置が知られている（例えば、特許文献１参照）。この貯湯式給湯装置では、給湯蛇口の略全体が筐体の外側に突き出る構造となっている。
【先行技術文献】
【特許文献】
【０００３】
【特許文献１】特開２０１２−１３２６２０号
【発明の概要】
【発明が解決しようとする課題】
【０００４】
ところで、特許文献１に記載の貯湯式給湯装置を家屋等の敷地に設置すると、給湯蛇口の略全体が筐体の外側に突き出ているため、貯湯式給湯装置付近を歩行者が歩く際の通行の妨げとなってしまうことが懸念される。また、給湯蛇口の略全体が筐体の外側に突き出ている構造では、製品を梱包する際の梱包材のサイズが大きくなってしまうことで、物流コストが高くなってしまう等の問題もある。
【０００５】
そこで、本発明者らは、給湯蛇口の全体を筐体の内側に収容することを検討したが、この場合、給湯蛇口から湯水を取り出すためのホース等を接続する必要があり、利便性に欠けるといった背反がある。
【０００６】
本発明は上記点に鑑みて、給湯蛇口が筐体の外側に突き出ることによる弊害を抑えつつ、利便性を確保可能な貯湯ユニットを提供することを目的とする。
【課題を解決するための手段】
【０００７】
上記目的を達成するため、請求項１に記載の発明は、
湯水を貯える貯湯タンク（２２）と、
貯湯タンクを収容する筐体（２４）と、
筐体の内部に配設されると共に一端側が貯湯タンクに接続された湯水配管（１２０）と、
湯水配管の他端側に接続されると共に貯湯タンクに蓄えられえた湯水を取り出す湯水取出部（３０）と、を備え、
筐体のうち外側に露出する外側壁部（２４０ａ）には、内側に窪んだ凹部（２４２）が形成されており、
湯水取出部は、全体の半分以上が凹部に収容されると共に、凹部から外側に向かって斜め下方に突き出た給湯蛇口（３２）を含んで構成されている。
【０００８】
これによると、給湯蛇口の全体の半分以上が筐体の内側に収容されることになるので、給湯蛇口の全体が筐体の外側に突き出る構造に比べて、給湯蛇口が筐体の外側に突き出ることによる弊害を抑えることができる。
【０００９】
加えて、給湯蛇口は、筐体の外側壁部に設けられた凹部から外側に向かった斜め下方に突き出ているので、ホース等を接続することなく、給湯蛇口から湯水を取り出すことが可能となる。
【００１０】
したがって、本発明の貯湯ユニットによれば、給湯蛇口が筐体の外側に突き出ることによる弊害を抑えつつ、貯湯ユニットの利便性を確保することができる。
【００１１】
なお、この欄および特許請求の範囲で記載した各手段の括弧内の符号は、後述する実施形態に記載の具体的手段との対応関係の一例を示すものである。
【図面の簡単な説明】
【００１２】
【図１】第１実施形態に係る貯湯ユニットを含む給湯装置の概略構成図である。
【図２】第１実施形態に係る貯湯ユニットの模式的な斜視図である。
【図３】第１実施形態に係る貯湯ユニットの下方側部位の模式的な斜視図である。
【図４】第１実施形態に係る貯湯ユニットの給湯蛇口付近の模式的な断面図である。
【図５】第１実施形態に係る貯湯ユニットの下方側部位の模式的な側面図である。
【図６】第１実施形態に係る貯湯ユニットの止水栓付近の模式的な正面図である。
【図７】第１実施形態の第１変形例となる貯湯ユニットの給湯蛇口付近の模式的な断面図である。
【図８】第１実施形態の第２変形例となる貯湯ユニットの給湯蛇口付近の模式的な断面図である。
【図９】第２実施形態に係る貯湯ユニットの給湯蛇口付近の模式的な斜視図である。
【図１０】第２実施形態の変形例となる貯湯ユニットの給湯蛇口付近の模式的な斜視図である。
【図１１】第３実施形態に係る貯湯ユニットの給湯蛇口付近の模式的な斜視図である。
【図１２】第３実施形態に係る貯湯ユニットの給湯蛇口付近の模式的な断面図である。
【図１３】第３実施形態の防水カバーのドア本体を示す模式的な正面図である。
【図１４】第３実施形態の防水カバーのドア枠体および水受部を示す模式的な正面図である。
【図１５】図１４のＸＶ−ＸＶ断面図である。
【図１６】第３実施形態の防水カバーのドア枠体および水受部を示す模式的な背面図である。
【図１７】第３実施形態の防水カバーのドア枠体および水受部を示す模式的な斜視図である。
【図１８】第３実施形態に係る貯湯ユニットの給湯蛇口付近における湯水等の流れ方を説明するための説明図である。
【発明を実施するための形態】
【００１３】
以下、本発明の実施形態について図面を参照して説明する。なお、以下の実施形態において、先行する実施形態で説明した事項と同一もしくは均等である部分には、同一の参照符号を付し、その説明を省略する場合がある。また、実施形態において、構成要素の一部だけを説明している場合、構成要素の他の部分に関しては、先行する実施形態において説明した構成要素を適用することができる。以下の実施形態は、特に組み合わせに支障が生じない範囲であれば、特に明示していない場合であっても、各実施形態同士を部分的に組み合わせることができる。
【００１４】
（第１実施形態）
本実施形態について、図１〜図６を参照して説明する。本実施形態では、家屋等に設置され、屋内に設置された各種機器に温水を供給する給湯装置１に対して、本発明の貯湯ユニット２０を適用した例について説明する。
【００１５】
給湯装置１は、温水生成装置として機能するヒートポンプユニット１０、およびヒートポンプユニット１０で生成された温水を貯湯する貯湯ユニット２０を含んで構成されている。ヒートポンプユニット１０および貯湯ユニット２０は、それぞれ屋外に設置されている。
【００１６】
まず、ヒートポンプユニット１０の概要について説明すると、ヒートポンプユニット１０は、蒸気圧縮式のヒートポンプサイクル１２を含んで構成されている。ヒートポンプサイクル１２は、電動圧縮機、水冷媒熱交換器、膨張弁等の減圧機器、冷媒蒸発器が冷媒配管によって順次接続されて閉回路を構成するものである。
【００１７】
ヒートポンプサイクル１２は、例えば、二酸化炭素（ＣＯ２）を冷媒としており、電動圧縮機から吐出された高温高圧の冷媒を水冷媒熱交換器で、貯湯ユニット２０側の冷水に放熱させることで、当該冷水を所定温度（例えば、９０℃）の温水にするものである。
【００１８】
ヒートポンプユニット１０には、電動圧縮機の動作を制御する熱源側制御装置１００が設けられている。熱源側制御装置１００は、後述する貯湯ユニット２０の貯湯側制御装置２００に対して通信ラインＣＬを介して接続されている。
【００１９】
続いて、貯湯ユニット２０の概要について説明すると、貯湯ユニット２０は、ヒートポンプユニット１０で生成された湯水を貯える貯湯タンク２２を備えている。貯湯タンク２２は、耐食性に優れたステンレス等の金属で構成されたタンクである。図示しないが、貯湯タンク２２の外側には、断熱材が配置されており、内部に貯えた湯水を長時間にわたって保温することができるようになっている。また、貯湯タンク２２は、設置スペースを考慮して縦長形状となっている。
【００２０】
貯湯タンク２２には、その底面側に冷水入口部２２ａが設けられている。この冷水入口部２２ａには、貯湯タンク２２に水道水を導入する給水経路である給水管１０２が接続されている。
【００２１】
また、貯湯タンク２２の底面側には、冷水出口部２２ｂが設けられている。この冷水出口部２２ｂには、貯湯タンク２２の底面側の冷水をヒートポンプサイクル１２の水冷媒熱交換器に導く往き配管１０４に接続されている。
【００２２】
一方、貯湯タンク２２には、その上面側に温水入口部２２ｃが設けられている。この温水入口部２２ｃには、ヒートポンプサイクル１２の水冷媒熱交換器で生成された湯水を貯湯タンク２２に導く戻り配管１０６に接続されている。
【００２３】
また、貯湯タンク２２の上面側には、温水出口部２２ｄが設けられている。この温水出口部２２ｄには、貯湯タンク２２内の高温の湯水を導出するための給湯管１０８が接続されている。
【００２４】
給湯管１０８には、リリーフ弁１１０ａが設けられた排水管１１０が接続されている。リリーフ弁１１０ａは、貯湯タンク２２の内部圧力が所定圧力以上に上昇した際に開いて、貯湯タンク２２の内部の温水を外部に排出するものである。これにより、貯湯タンク２２の損傷が防止される。
【００２５】
また、給湯管１０８の経路の途中には、水道水の給水管１０２が接続されている。給湯管１０８のうち給水管１０２との合流部には、風呂給湯混合弁１１４が配置されている。風呂給湯混合弁１１４は、給湯管１０８側に連通する湯水側の開度と給水管１０２側に連通する冷水側の開度との比率を調整する調整弁である。これにより、風呂給湯混合弁１１４の下流側にある浴槽１１６には、風呂給湯混合弁１１４で調整された適切な温度の湯水が給湯される。
【００２６】
さらに、給湯管１０８および給水管１０２それぞれは、風呂給湯混合弁１１４の上流側において分岐している。風呂給湯混合弁１１４の上流側において分岐した給湯管１０８および給水管１０２の合流部には、給湯混合弁１１８が配置されている。給湯混合弁１１８は、給湯管１０８側に連通する湯水側の開度と給水管１０２側に連通する冷水側の開度との比率を調整する調整弁である。これにより、給湯混合弁１１８の下流側にあるカランやシャワー等の混合栓１１８ａには、給湯混合弁１１８で調整された適切な温度の湯水が給湯される。
【００２７】
給湯管１０８のうち給湯混合弁１１８の下流側には、給湯管１０８を流れる湯水を貯湯ユニット２０の筐体２４の外側に取り出す湯水取出部３０に導く湯水配管１２０が接続されている。
【００２８】
湯水配管１２０は、筐体２４の内部に配置されており、その一端側が給湯管１０８を介して貯湯タンク２２の温水出口部２２ｄに接続されている。湯水配管１２０の他端部には、貯湯タンク２２に貯えられた湯水を取り出す湯水取出部３０が設けられている。
【００２９】
さらに、湯水配管１２０には、その途中となる経路に、湯水取出部３０からの湯水の取り出しを停止する止水栓４０が設けられている。なお、湯水取出部３０および止水栓４０の詳細については後述する。
【００３０】
貯湯ユニット２０には、風呂給湯混合弁１１４、給湯混合弁１１８等の各種制御機器を制御する貯湯側制御装置２００が設けられている。貯湯側制御装置２００は、その入力側に屋内に設置されたコントローラ２１０が接続されている。貯湯側制御装置２００には、コントローラ２１０を介して、ユーザが設定した湯水の設定温度（例えば、４０℃）、浴槽１１６への湯張りモード等の情報が入力される。
【００３１】
次に、本実施形態の貯湯ユニット２０の具体的な構成について説明する。貯湯ユニット２０は、図２に示すように、貯湯タンク２２を収容する筐体２４を備える。筐体２４は、その底面側に設けられた４つの支持脚部２０ａによって支持されている。
【００３２】
筐体２４には、外側に露出する外側壁部として、複数のパネル２４０、２４４、２４６が設けられている。具体的には、筐体２４は、前面を形成する前面パネル２４０、左右および背面を形成する側面パネル２４４、上面を形成する上面パネル２４６、および図示しない底面パネルを組み合わせて上下方向に細長い略四角柱状の箱体で構成されている。
【００３３】
前面パネル２４０は、図３に示すように、前面上側パネル２４０ａと前面下側パネル２４０ｂとの上下二分割構造となっている。前面パネル２４０は、前面上側パネル２４０ａが前面下側パネル２４０ｂよりも前方側に位置するように配置されている。図示しないが、前面上側パネル２４０ａの下端部および前面下側パネル２４０ｂの上端部は、水平方向に延びる配管接続パネルによって接続されている。この配管接続パネルには、給水管１０２、往き配管１０４、戻り配管１０６、給湯管１０８等を筐体２４の外部に導出するためのジョイント部２４１が設けられている。
【００３４】
図３、図４に示すように、前面上側パネル２４０ａには、筐体２４の内側に窪んだ凹部２４２が形成されている。この凹部２４２には、貯湯タンク２２に貯えられた湯水を取り出す湯水取出部３０が設けられている。
【００３５】
図４に示すように、本実施形態の凹部２４２は、下端側が筐体２４の内側に位置する四角形状の上壁部２４２ａ、上端側が上壁部２４２ａに接続されると共に筐体の２４の内側に位置する四角形状の下壁部２４２ｂ、三角形状の一対の側壁部２４２ｃを有している。
【００３６】
本実施形態の凹部２４２は、上壁部２４２ａの水平方向（本例では前後方向）に対する傾斜角度θαが、下壁部２４２ｂの水平方向（本例では前後方向）に対する傾斜角度θβよりも小さくなっている。換言すれば、下壁部２４２ｂの水平方向（本例では前後方向）に対する傾斜角度θβは、上壁部２４２ａの水平方向（本例では前後方向）に対する傾斜角度θαよりも大きくなっている。
【００３７】
湯水取出部３０は、略円筒状の給湯蛇口３２で構成されている。この給湯蛇口３２は、全体の半分以上が凹部２４２に収容されると共に、凹部２４２の上壁部２４２ａから外側に向かって斜め下方に突き出ている。
【００３８】
給湯蛇口３２は、略全体が凹部２４２に収容されている。具体的には、給湯蛇口３２は、先端部３２０の上端部３２０ａが筐体２４の外部に突き出るだけで、先端部３２０の下端部３２０ｂについて筐体２４の内側に位置するように、凹部２４２に収容されている。
【００３９】
ここで、通常、筐体２４の外壁面と筐体２４を梱包する梱包材の内側面との間には、電源スイッチのカバーや取扱説明者・設置工事説明書等を収めるための空間が設けられている。このため、給湯蛇口３２は、凹部２４２から突き出る部位が、少なくとも筐体２４の外壁面と筐体２４を梱包する梱包材の内側面との間に形成される隙間に収まるように設定されていることが望ましい。
【００４０】
また、給湯蛇口３２は、湯水を吐出する向きが、水平よりも下方向きであって、垂直よりも上方向きとなるように設定されている。具体的には、給湯蛇口３２は、上下方向に対する傾斜角度θγは、３０°前後の範囲（例えば、１５°〜４５°）に設定される。
【００４１】
ここで、給湯蛇口３２は、給湯蛇口３２から湯水を取り出す際に当該湯水が凹部２４２の下方側の周縁部２４２ｄにあたると、湯水が周囲に飛散することで、適切に湯水を取り出すことができなくなってしまう。
【００４２】
これに対して、本実施形態の給湯蛇口３２は、給湯蛇口３２から取り出す湯水の吐出方向Ｄｄに沿って延長させた仮想線ＶＬと、凹部２４２の下壁部２４２ｂの下方側の周縁部２４２ｄとが重なり合わないように配設されている。なお、給湯蛇口３２における湯水の吐出方向Ｄｄは、給湯蛇口３２が突き出る突出方向と解釈することもできる。
【００４３】
これによると、図５に示すように、給湯蛇口３２から湯水を取り出す際に当該湯水が凹部２４２の下方側の周縁部２４２ｄにあたり難くなるので、ホースを繋がなくても給湯蛇口３２からバケツＢ等に直接注水することができる。
【００４４】
また、図３、図６に示すように、前面上側パネル２４０ａには、止水栓４０の全体を収容可能なように内側に窪んだ止水栓収容部２８が設けられている。止水栓収容部２８は、前面上側パネル２４０ａのうち凹部２４２よりも上方側の部位に設けられている。
【００４５】
止水栓収容部２８の内側に収容される止水栓４０は、レバー４１を略９０°回転させることで給湯蛇口３２からの湯水の取り出しを停止する閉状態と給湯蛇口３２からの湯水の取り出しを許容する開状態とを切り替えるレバー式の止水栓で構成されている。なお、止水栓４０は、ハンドルを閉側に回転させることで給湯蛇口３２からの湯水の取り出しを停止するハンドル式の止水栓で構成されていてもよい。
【００４６】
また、止水栓収容部２８には、その内部に雨水等が入り込むことを防止する収容カバー２８２が設けられている。この収容カバー２８２は、筐体２４の外側に突き出ないように、前面上側パネル２４０ａの壁面に沿ってスライド移動する構成となっている。なお、収容カバー２８２は、スライド式に限らず、片持ち式の開閉構造となっていてもよい。
【００４７】
以上説明した本実施形態の貯湯ユニット２０は、湯水取出部３０を構成する給湯蛇口３２を備えている。この給湯蛇口３２は、その略全体が前面上側パネル２４０ａに形成された凹部２４２に収容されると共に、凹部２４２から外側に向かって斜め下方に突き出ている。
【００４８】
これによると、給湯蛇口３２の全体が筐体２４の外側に突き出る構造に比べて、給湯蛇口３２が貯湯ユニット２０付近を歩行者が歩く際の通行の妨げとなってしまうことを抑制することができる。また、給湯蛇口３２の略全体が筐体２４の内側に収まるので、製品を梱包する際の梱包材のサイズが大きくなってしまうこともなく、物流コストが高くなってしまう等の問題も殆ど生じない。このように、本実施形態の貯湯ユニット２０は、給湯蛇口３２が筐体２４の外側に突き出ることによる弊害を抑えることができる。
【００４９】
加えて、給湯蛇口３２は、筐体２４の前面上側パネル２４０ａに形成された凹部２４２から外側に向かった斜め下方に突き出ているので、ホース等を接続することなく、給湯蛇口３２から湯水を取り出すことが可能となる。
【００５０】
したがって、本実施形態の貯湯ユニット２０によれば、給湯蛇口３２が筐体２４の外側に突き出ることによる弊害を抑えつつ、貯湯ユニット２０の利便性を充分に確保することができる。
【００５１】
また、本実施形態の給湯蛇口３２は、給湯蛇口３２から取り出す湯水の吐出方向Ｄｄに沿って延長させた仮想線ＶＬと凹部２４２の下方側の周縁部２４２ｄとが重なり合わないように配設されている。これによれば、給湯蛇口３２から取り出した湯水が給湯蛇口３２を収容する凹部２４２の下方側の周縁部にあたり難くなるため、給湯蛇口３２から湯水を直接取り出す際に、取り出した水が貯湯ユニット２０の周囲に飛散することを防止することができる。
【００５２】
さらに、本実施形態では、止水栓４０を収容する止水栓収容部２８が給湯蛇口３２を収容する凹部２４２とは別に設けられると共に、止水栓収容部２８が凹部２４２よりも上方側に設けられている。これによると、給湯蛇口３２から取り出した湯水によって止水栓４０が被水してしまうことを抑制することができる。
【００５３】
（第１実施形態の第１変形例）
上述の第１実施形態では、給湯蛇口３２を収容する凹部２４２が、四角形状の上壁部２４２ａ、四角形状の下壁部２４２ｂ、および三角形状の一対の側壁部２４２ｃで構成される例について説明したが、これに限定されない。凹部２４２は、例えば、図７に示すように、それぞれ四角形状に形成された上壁部２４２ａ、下壁部２４２ｂ、一対の側壁部２４２ｃ、および中間壁部２４２ｅで構成されていてもよい。
【００５４】
（第１実施形態の第２変形例）
上述の第１実施形態では、給湯蛇口３２が凹部２４２に収容されているものの外部に露出する構成となっている例について説明したが、これに限定されない。貯湯ユニット２０は、例えば、図８に示すように、凹部２４２に対して雨水等が入り込むことを防止する防水カバー２５を有する構成となっていてもよい。
【００５５】
防水カバー２５は、筐体２４の外側に突き出ないように、前面上側パネル２４０ａの壁面に沿ってスライド移動する構成となっていることが望ましい。また、給湯蛇口３２については、防水カバー２５と干渉しないように、その全体が凹部２４２に収容される構成となっていることが望ましい。
【００５６】
（第２実施形態）
次に、第２実施形態について、図９を参照して説明する。本実施形態では、湯水取出部３０が給湯蛇口３２および止水ハンドル３４で構成されている点が第１実施形態と相違している。本実施形態では、第１実施形態と異なる部分について説明し、第１実施形態と同様の部分について説明を省略する。
【００５７】
図９に示すように、本実施形態の湯水取出部３０は、第１実施形態で説明した給湯蛇口３２に加えて、止水ハンドル３４を備えている。止水ハンドル３４は、給湯蛇口３２に併設されており、給湯蛇口３２と共に凹部２４２に収容されている。なお、本実施形態の前面上側パネル２４０ａには、止水栓収容部２８が設けられていない。
【００５８】
本実施形態の止水ハンドル３４は、ハンドル部分を所定の方向に回転させることで、給湯蛇口３２からの湯水の取り出しを停止する閉状態と給湯蛇口３２からの湯水の取り出しを許容する開状態とを切り替えるハンドル式の止水栓で構成されている。なお、止水ハンドル３４に代えて、第１実施形態で説明したレバー式の止水栓が採用されていてもよい。
【００５９】
その他の構成は第１実施形態と同様である。本実施形態の貯湯ユニット２０は、第１実施形態と共通の構成から奏される作用効果を第１実施形態と同様に得ることができる。
【００６０】
特に、本実施形態では、止水ハンドル３４が給湯蛇口３２に併設されているので、前面上側パネル２４０ａに対して止水栓収容部２８を設ける必要がなく、前面上側パネル２４０ａの簡素化を図ることが可能となる。
【００６１】
（第２実施形態の変形例）
上述の第２実施形態では、給湯蛇口３２および止水ハンドル３４が凹部２４２に収容されているものの外部に露出する構成となっている例について説明したが、これに限定されない。貯湯ユニット２０は、例えば、図１０に示すように、凹部２４２に対して雨水等が入り込むことを防止する防水カバー２７を有していてもよい。なお、給湯蛇口３２および止水ハンドル３４については、防水カバー２７と干渉しないように、その全体が凹部２４２に収容される構成となっていることが望ましい。
【００６２】
（第３実施形態）
上述の各実施形態の如く、給湯蛇口３２が凹部２４２に収容される構成になっていると、例えば、湯水の使用を止める際に給湯蛇口３２から湯水が滴下することで凹部２４２に湯水が溜まってしまう虞がある。また、例えば、給湯蛇口３２にホースを接続する場合、給湯蛇口３２からホースを外す際に給湯蛇口３２またはホース側に残った湯水が溢れることで凹部２４２に湯水が溜まってしまう虞がある。そして、凹部２４２に対して湯水が溜まると、雑菌の繁殖等によって不衛生になってしまったり、筐体２４の内側における板金腐食や電気部品の故障が生じ易くなったりすることが懸念される。
【００６３】
そこで、第３実施形態では、凹部２４２に対して湯水が溜まることを抑制可能な防水カバー２７を採用している。以下、第３実施形態の防水カバー２７の構造について、図１１〜図１８を参照して説明する。
【００６４】
本実施形態では、防水カバー２７の構造点等が第２実施形態の変形例と相違している。本実施形態では、第２実施形態の変形例と異なる部分について主に説明し、第２実施形態の変形例と同様の部分についての説明を省略することがある。
【００６５】
図１１および図１２に示すように、本実施形態の防水カバー２７は、凹部２４２の開口を開閉するためのドア本体２７１、ドア本体２７１を回転自在に支持するドア枠体２７２、および水受部２７３を有している。
【００６６】
ドア本体２７１は、凹部２４２の全体を覆う大きさを有する平板状のドアで構成されている。図１３に示すように、ドア本体２７１は、その下端側にドア幅方向（紙面左右方向）の外側に突き出る一対のドア軸２７１ａが形成されている。また、ドア本体２７１には、ドア本体２７１によって凹部２４２を覆う状態を維持するための係合溝２７１ｂが設けられている。この係合溝２７１ｂは、ドア枠体２７２に形成された係合爪２７２ｂに係合可能に構成されている。ドア本体２７１は、外部に露出する部位であるため、凹部２４２を形成する材料（例えば、金属）よりも耐食性に優れた樹脂材料（例えば、ポリプロピレン）で形成されている。
【００６７】
ドア枠体２７２は、前面上側パネル２４０ａと凹部２４２との継ぎ目を囲むと共に、ドア本体２７１を収容するための部材である。ドア枠体２７２は、ビス等によって凹部２４２に取付固定されている。
【００６８】
図１４に示すように、ドア枠体２７２には、その下端側に一対のドア軸２７１ａを支持するための軸受部２７２ａが形成されている。また、ドア枠体２７２は、その上端側にドア本体２７１の係合溝２７１ｂに係合する係合爪２７２ｂが設けられている。
【００６９】
ドア枠体２７２の背面側には、給湯蛇口３２から垂れる水等を受けるための水受部２７３が設けられている。水受部２７３は、ドア枠体２７２と一体に成形されている。すなわち、ドア枠体２７２および水受部２７３は、一体成形物として構成されている。本実施形態のドア枠体２７２および水受部２７３は、凹部２４２を形成する材料（例えば、金属）よりも腐食し難い樹脂材料（例えば、ポリプロピレン）で構成されている。
【００７０】
水受部２７３は、給湯蛇口３２からの水を受けられるように、凹部２４２における給湯蛇口３２の下方側に収容されている。また、水受部２７３は、図１５に示すように、その底面部２７３ａが給湯蛇口３２から凹部２４２から外側に向かって斜め下方に傾斜している。
【００７１】
ところで、例えば、斜めに降り込んでくる強い雨が水受部２７３よりも内側に侵入する状況や、給湯蛇口３２から水受部２７３に対して多量の湯水が流れ込む状況等では、水受部２７３だけでは水を受けきれず、凹部２４２に水が入ってしまうことがある。
【００７２】
このような状況に対応するため、本実施形態のドア枠体２７２には、図１６および図１７に示すように、水受部２７３と凹部の下方側の周縁部２４２ｄとの間に隙間を形成するための切欠部２７２ｃが設けられている。
【００７３】
切欠部２７２ｃは、ドア枠体２７２における下端側に二箇所設けられている。切欠部２７２ｃは、二箇所に限らず、一箇所や三以上の箇所に設けることも可能であるが、排水性が充分に確保できなかったり、水の侵入口になってしまったりしないように、その大きさを設定することが望ましい。
【００７４】
その他の構成は、第２実施形態の変形例と同様である。本実施形態では、第２実施形態の変形例と共通の構成から奏される作用効果を第２実施形態の変形例と同様に得ることができる。
【００７５】
特に、本実施形態の貯湯ユニット２０は、凹部２４２における給湯蛇口３２の下方側に収容され、給湯蛇口３２からの水を受けるための水受部２７３を備える。この水受部２７３は、その底面部２７３ａが凹部２４２から外側に向かって斜め下方に傾斜している。
【００７６】
これによれば、図１８に示すように、給湯蛇口３２から垂れた湯水が凹部２４２ではなく水受部２７３で受けられるため、凹部２４２に湯水が溜まることを抑制することができる。また、水受部２７３の底面部２７３ａが凹部２４２から外側に向かって斜め下方に傾斜しているので、水受部２７３に溜まった湯水を外部に排出することができる。
【００７７】
したがって、衛生状態を確保しつつ、筐体２４の内側における板金腐食や電気部品の故障が生じ難い貯湯ユニット２０を実現することができる。
【００７８】
また、本実施形態では、ドア枠体２７２に対して、水受部２７３と凹部２４２の下方側の周縁部２４２ｄとの間に隙間を形成するための切欠部２７２ｃを設けている。これによれば、仮に凹部２４２に対して湯水が入り込んだとしても、切欠部２７２ｃによって水受部２７３と凹部２４２の下方側の周縁部２４２ｄとの間に形成された隙間を介して凹部２４２の湯水を外部に排出することができる。
【００７９】
さらに、本実施形態では、水受部２７３が凹部２４２を形成する材料よりも腐食し難い材料で構成されている。これによれば、給湯蛇口３２から垂れた湯水等に対する水受部の耐食性を確保することができる。
【００８０】
ところで、湯水取出部３０は、筐体２４の前面上側パネル２４０ａに形成された凹部２４２に設置される。そして、前面上側パネル２４０ａが金属板で構成されていると、前面上側パネル２４０ａと凹部２４２との継ぎ目に鋭利なエッジが形成されてしまうことがある。この場合、給湯蛇口３２の操作時における使用者の安全性を確保するために、前面上側パネル２４０ａと凹部２４２との継ぎ目にエッジモール等の保護部材を追加する必要がある。
【００８１】
これに対して、本実施形態では、前面上側パネル２４０ａと凹部２４２との継ぎ目が樹脂材料で形成されたドア枠体２７２で囲まれており、ドア枠体２７２が上述の保護部材として機能する。このため、本実施形態では、前面上側パネル２４０ａと凹部２４２との継ぎ目に対して別途保護部材を追加する必要がない。このことは、貯湯ユニット２０の部品点数の削減や体格の増大を抑制する上で有益となる。
【００８２】
（第３実施形態の変形例）
上述の第３実施形態では、水受部２７３が防水カバー２７のドア枠体２７２に対して一体に成形される例について説明したが、これに限定されない。水受部２７３は、例えば、ドア枠体２７２と別体で構成されていてもよい。
【００８３】
また、上述の第３実施形態では、水受部２７３が防水カバー２７の一構成要素になっている例について説明したが、これに限定されない。貯湯ユニット２０は、例えば、凹部２４２に対してドア本体２７１、ドア枠体２７２、および水受部２７３のうち水受部２７３だけが設置された構成になっていてもよい。
【００８４】
さらに、上述の第３実施形態の如く、防水カバー２７の各種構成を耐食性に優れた樹脂材料で構成することが望ましいが、これに限定されない。防水カバー２７の各種構成は、例えば、凹部２４２を形成する材料（例えば、金属材料）と同種の材料で構成されていてもよい。
【００８５】
（他の実施形態）
以上、本発明の代表的な実施形態について説明したが、本発明は、上述の実施形態に限定されることなく、例えば、以下のように種々変形可能である。
【００８６】
上述の各実施形態では、前面上側パネル２４０ａに対して湯水取出部３０を収容する凹部２４２を設けた例について説明したが、これに限定されない。凹部２４２は、例えば、筐体２４の外側に露出する外側壁部であれば、前面上側パネル２４０ａ以外の他のパネル（例えば、側面パネル２４４）に対して設けられていてもよい。
【００８７】
上述の各実施形態では、給湯蛇口３２の向きや長さが固定されている例について説明したが、これに限定されない。貯湯ユニット２０は、例えば、給湯蛇口３２の向きや長さが変更可能な構造となっていてもよい。
【００８８】
上述の各実施形態では、給湯蛇口３２から直接湯水を取り出す例について説明したが、これに限定されない。貯湯ユニット２０は、給湯蛇口３２から直接湯水を取り出すだけでなく、例えば、給湯蛇口３２にホース等を繋いで湯水を取り出すことが可能となっていてもよい。
【００８９】
上述の各実施形態では、温水生成装置として機能するヒートポンプユニット１０を備える給湯装置１に本発明の貯湯ユニット２０を適用する例について説明したが、これに限定されない。本発明の貯湯ユニット２０は、例えば、温水生成装置として機能する電気ヒータ等の電熱装置を備える給湯装置１に適用可能である。
【００９０】
上述の実施形態において、実施形態を構成する要素は、特に必須であると明示した場合および原理的に明らかに必須であると考えられる場合等を除き、必ずしも必須のものではないことは言うまでもない。
【００９１】
上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【００９２】
上述の実施形態において、構成要素等の形状、位置関係等に言及するときは、特に明示した場合および原理的に特定の形状、位置関係等に限定される場合等を除き、その形状、位置関係等に限定されない。
【００９３】
（まとめ）
上述の実施形態の一部または全部で示された第１の観点によれば、貯湯ユニットは、湯水取出部が、全体の半分以上が筐体の外側壁部に形成された凹部に収容されると共に、当該凹部から外側に向かって斜め下方に突き出た給湯蛇口を含んでいる。
【００９４】
第２の観点によれば、貯湯ユニットの給湯蛇口は、給湯蛇口から取り出す湯水の吐出方向に沿って延長させた仮想線と凹部の下方側の周縁部とが重なり合わないように配設されている。これによれば、給湯蛇口から取り出した湯水が給湯蛇口を収容する凹部の下方側の周縁部にあたり難くなるため、給湯蛇口から湯水を直接取り出す際に、取り出した水が貯湯ユニットの周囲に飛散することを防止することができる。
【００９５】
第３の観点によれば、貯湯ユニットは、湯水配管に給湯蛇口からの湯水の取り出しを停止する止水栓が設けられている。筐体の外側壁部には、止水栓の全体を収容可能なように窪んだ止水栓収容部が設けられている。そして、止水栓収容部は、外側壁部のうち凹部よりも上方側の部位に設けられている。これによれば、止水栓を収容する止水栓収容部が給湯蛇口を収容する凹部とは別に設けられると共に、止水栓収容部が凹部よりも上方側に設けられているので、給湯蛇口から取り出した湯水によって止水栓が被水してしまうことを抑制することができる。
【００９６】
第４の観点によれば、貯湯ユニットは、凹部における給湯蛇口の下方側に収容され、給湯蛇口からの水を受けるための水受部を備える。そして、水受部は、その底面部が前記凹部から外側に向かって斜め下方に傾斜している。
【００９７】
これによれば、例えば、給湯蛇口から垂れた湯水が凹部ではなく水受部に溜まるため、凹部に湯水が溜まることを抑制することができる。また、水受部の底面部が凹部から外側に向かって斜め下方に傾斜しているので、水受部に溜まった湯水を外部に排出することができる。
【００９８】
したがって、衛生状態を確保しつつ、筐体の内側における板金腐食や電気部品の故障が生じ難い貯湯ユニットを実現することができる。
【００９９】
第５の観点によれば、貯湯ユニットは、凹部を開閉するためのドア本体と、ドア本体を開閉自在に支持するドア枠体と、を備える。水受部は、ドア枠体と一体に形成されている。そして、ドア枠体には、水受部と凹部の下方側の周縁部との間に隙間を形成するための切欠部が設けられている。
【０１００】
これによれば、仮に凹部に対して湯水が入り込んだとしても、切欠部によって水受部と凹部の下方側の周縁部との間に形成された隙間を介して凹部湯水を外部に排出することができる。
【０１０１】
第６の観点によれば、貯湯ユニットは、水受部が、凹部を形成する材料よりも腐食し難い材料で構成されている。これによれば、給湯蛇口から垂れた湯水等に対する水受部の耐食性を確保することができる。
【符号の説明】
【０１０２】
１２０    湯水配管
２０      貯湯ユニット
２２      貯湯タンク
２４      筐体
２４０ａ  前面上側パネル（外側壁部）
２４２    凹部
３０      湯水取出部
３２      給湯蛇口
【図１】
2019011942.tif 000003
【図２】
2019011942.tif 000004
【図３】
2019011942.tif 000005
【図４】
2019011942.tif 000006
【図５】
2019011942.tif 000007
【図６】
2019011942.tif 000008
【図７】
2019011942.tif 000009
【図８】
2019011942.tif 000010
【図９】
2019011942.tif 000011
【図１０】
2019011942.tif 000012
【図１１】
2019011942.tif 000013
【図１２】
2019011942.tif 000014
【図１３】
2019011942.tif 000015
【図１４】
2019011942.tif 000016
【図１５】
2019011942.tif 000017
【図１６】
2019011942.tif 000018
【図１７】
2019011942.tif 000019
【図１８】
2019011942.tif 000020